(57)【要約】      （修正有）【課題】家庭用として簡易に設置でき、低コストで提供できる水素発生器を提供する。【解決手段】底及び蓋を有しない４面の側壁板１１，１２，１３，１４で構成された、上方及び下方開口型の容器本体と、この容器本体に収容されるマグネシウム板１６で形成された水素発生体とで構成されている。また、水素発生体は、容器本体に複数枚を平行に立設させて配置され、水素発生器は、左右側面板１３，１４の内側にマグネシウム板１６を上方から挿填するための縦溝２１が形成されている。また、容器本体の底の一部に突起が設けられている。【選択図】図４
0003209641.tif 000002
【実用新案登録請求の範囲】
【請求項１】
底及び蓋を有しない４面の側壁板１１，１２，１３，１４で構成された、上方及び下方開口型の容器本体１５と、
この容器本体１５に収容されるマグネシウム板１６で形成された水素発生体とで構成されていることを特徴とする水素発生器。
【請求項２】
前記水素発生体は、前記容器本体に複数枚を平行に立設させて配置されていることを特徴とする請求項１に記載の水素発生器。
【請求項３】
前記水素発生器は、
左右側面板１３，１４の内側にマグネシウム板１６を上方から挿填するための縦溝２１が形成されていることを特徴とする請求項１又は２に記載の水素発生器。
【請求項４】
前記水素発生器は、
容器本体の底の一部に突起３１が設けられていることを特徴とする請求項１〜３のいずれか１項に記載の水素発生器。
【考案の詳細な説明】
【技術分野】
【０００１】
本考案は、水素発生器に関し、風呂や農業などの分野での使用に適する水素ガスや水素水を製造するための水素発生器に関する。
【背景技術】
【０００２】
従来、水素発生器として、単に、容器本体内に、硫酸等の酸性水溶液を所定量貯留しておき、水素発生体として水素よりもイオン化傾向の大きな金属（亜鉛等）をその酸性水溶液中に浸漬して、化学反応により水素を発生させていた。
しかしながら、このような水素発生器においては、酸性水溶液中にて生成された水素が、水素発生体である金属表面から分離されてガスとなり、酸性水溶液の液面に自然浮上するのをまつ時間がかかり、水素の発生効率がよくいないという問題があった。
【０００３】
そこで、特許文献１（特開平７−２９９４６３号公報）に記載するユニットは、水素ガス発生用の電解槽を設け、この電解槽内で電解作用に伴い発生させた水素ガスを循環ポンプにより浴槽に強制的に循環させる構造とした。
【先行技術文献】
【特許文献】
【０００４】
【特許文献１】特開平７−２９９４６３号公報
【考案の概要】
【考案が解決しようとする課題】
【０００５】
しかしながら、別途設けた電解装置を用いて水素ガスを発生させるためのコストが発生する。
本考案は、電解装置などを設けるなどの費用が発生せず、家庭用として簡易に設置でき、低コストで提供できる水素発生器を提供することを目的とする。
【課題を解決するための手段】
【０００６】
（１）本考案の水素発生器は、
底及び蓋を有しない４面の側壁板１１，１２，１３，１４で構成された、上方及び下方開口型の容器本体１５と、この容器本体１５に収容されるマグネシウム板１６で形成された水素発生体とで構成されていることを特徴とする。
（２）本考案の水素発生器は、上記（１）において、
前記水素発生体は、前記容器本体に複数枚を平行に立設させて配置されていることを特徴とする。
（３）本考案の水素発生器は、上記（１）又は（２）において、
前記水素発生器は、左右側面板１３，１４の内側にマグネシウム板１６を上方から挿填するための縦溝２１が形成されていることを特徴とする。
（４）本考案の水素発生器は、上記（１）〜（３）において、
前記水素発生器は、容器本体の底の一部に突起３１が設けられていることを特徴とする。
【考案の効果】
【０００７】
本考案の水素発生器は、電解装置などを設けるなどの費用が発生せず、家庭用として簡易に設置でき、低コストで提供できる。
【図面の簡単な説明】
【０００８】
【図１】本考案の実施形態１の水素発生器を示す概略図であり、（ａ）は平面図、（ｂ）は底面図である。
【図２】実施形態１の水素発生器に水素発生体を収容した状態を示す正面図である。
【図３】実施形態１の水素発生器の上方から水素発生体を挿填する状態を示す正面図である。
【図４】実施形態２の水素発生器に水素発生体を収容した状態を示す平面図である。
【図５】実施形態３の水素発生器を示す概略図であり、（ａ）は正面図、（ｂ）は底面図である。
【考案を実施するための形態】
【０００９】
＜実施形態１＞
以下、図面を参照しながら本考案の実施形態１の水素発生器を説明する。
図１は、実施形態１の水素発生器を示す概略図であり、（ａ）は平面図、（ｂ）は底面図である。
図２は、水素発生器に水素発生体を収容した状態を示す正面図である。
図３は、水素発生器の上方から水素発生体を挿填する状態を示す正面図である。
図１乃至図３に示すように、実施形態１の水素発生器１０は、
正面板１１、裏面板１２、右側面１３、左側面１４の側壁板が塩ビやアクリル等の樹脂板で、上方及び下方開口型の矩形状の容器本体１５を構成する。
容器本体１５の蓋となる上面や、底となる底面には、樹脂板は設けられていない。
上方及び下方開口型とした理由は、上面からは水素の放出を図るためであり、底面からは新たな水を取り入れるためである。
【００１０】
なお、容器本体をステンレス金属素材で構成することもでき、この場合は、高級感覚、美観の向上、耐久性の向上等が期待できる。
また、この水素発生器に、取手やハンドル等を設けることもでき、搬送、取扱いの容易化、安全性等を向上させることもできる。
また、容器本体１５には、水素発生体であるマグネシウム板１６が、正面板１１と平行になるように立設させて収容されている。
【００１１】
水素水発生体１６は、矩形の薄い板状のマグネシウム板からなる。
その大きさや、立設させる枚数は、使用用途、目的、又はコスト面、水素の発生量等で決定する。
マグネシウム板１６は容器本体に複数枚を平行に配置してもよい。
【００１２】
また、マグネシウム板１６は、容器本体１５の上方から挿填できるようになっている（図３参照）。
このマグネシウム板１６は、９９．９％の純度を有する、厚み０．５ｍｍ、横１５ｃｍ、縦１０ｃｍ程度のサイズの薄い板である。
このようなサイズは、容器本体１５の形状や寸法に合わせて収容することを考慮して適宜変更される。
また、マグネシウム板１６の容器本体１５への収容枚数も、水素の発生量を考慮して、適宜決定される。
【００１３】
＜実施形態２＞
図４は、実施形態２の水素発生器に水素発生体を収容した状態を示す平面図である。
実施形態２の水素発生器は、左右側面板１３，１４の内側にマグネシウム板１６を上方から挿填するための縦溝２１が形成されている点に特徴があり、他の構成では実施形態１の水素発生器と同様である。この縦溝２１は、左右側面板１３，１４の内側の一部を上下方向に切り欠いて、等間隔に設けられている。
【００１４】
使用者は、使用する態様を考慮して、この縦溝２１にマグネシウム板１６を上方から挿填する。多くの水素を発生させたい場合には、全部の縦溝２１にマグネシウム板１６を挿填し、少なめの水素を発生させたい場合には、一部の縦溝２１にマグネシウム板１６を挿填する。これにより、マグネシウム板１６の上方から放出される水素の発生量を容易に調整することができる。
実施形態２の水素発生器は、上記構成によりマグネシウム板１６の出し入れが可能となるため、マグネシウム板１６が消耗した際の交換が容易となる。
【００１５】
＜実施形態３＞
図５は、実施形態３の水素発生器を示す概略図であり、（ａ）は正面図、（ｂ）は底面図である。
実施形態３の水素発生器は、容器本体１の下部の一部に突起３１が設けられている点に特徴を有し、他の構成は、実施形態１の水素発生器と同様である。
【００１６】
容器本体１の下部の一部に突起３１を設けることにより、容器本体１５の設置が不安定となり（例えば、図５（ｂ）に示すように対角線上に設けるなど）、容器本体１５をがたつかせることによって、マグネシウム板１６の表面に付着した水素ガスを離脱させやすくすることができる。
すなわち、水中での反応が進むにつれてマグネシウム板１６の表面が変化し、水素の発生効率が低下するのであるが、水素発生器１０をがたつかせて揺らすことにより、マグネシウム板１６の表面から水素気泡の分離を促進させ、水素の発生効率をよくする。
また、マグネシウム板１６の表面も全体的に均一に消耗させることができるようになり、
その結果として、マグネシウム板１６表面からの水素の発生効率を高く維持させることができる。
【００１７】
＜使用方法＞
次に、実施形態１の水素発生器を、風呂で用いる場合の使用方法を説明する。
使用方法には、以下のＡ法とＢ法の２とおりがある。
【００１８】
＜Ａ法＞
水素発生器をバケットに入れ、容器本体に挿填したマグネシウム板にクエン酸２０〜３０ｇをふりかける。
すると、マグネシウム板の表面では、
Ｃ６Ｈ８Ｏ７＋Ｍｇ  →  ＭｇＣ６Ｈ６Ｏ７＋Ｈ２
という反応が起こり、マグネシウム板表面が清浄化される。
次に、水素発生器をバケットの上からシャワーでお湯をはり、バケット内を満杯にするとともに、水素発生器の入ったバケットをお風呂の中に入れて、お風呂を沸かす。
お風呂が適温になったら、下記の時間を目安にして入浴する。
水素浴をはじめる時間の参考としては、以下のとおりである。
１００−１４０リットル浴槽：お風呂を沸かはじめてから３０〜４０分以降
１６０−２００リットル浴槽：お風呂を沸かはじめてから５０〜７０分以降
２２０−２４０リットル浴槽：お風呂を沸かはじめてから８０〜９０分以降
【００１９】
＜Ｂ法＞
本体のみをお風呂の底に配置して、お湯はそのあとではる方法である。
この方法では、クエン酸を使用しない。
お湯をはったら、３０分以降が入浴タイムとなる。
この方法は、日常のお手入れをしても、２〜５回使用すると、酸化膜により水素発生量が少なくなる。
酸化膜を取り除く方法としては、水素発生器を入れたバケット内をシャワーでお湯を満杯にして、クエン酸を約１０ｇ入れ、１時間おく。
その後、バケットより水素発生器を取り出して、シャワーで洗浄する。
（バケットの湯は捨てる）。
手足を浸す場合は、それぞれの指先を水素発生器上にかざす。
なお、他の入浴剤との併用はしない。
【産業上の利用可能性】
【００２０】
本考案の水素発生器は、電解装置などを設けるなどの費用が発生せず、家庭用の風呂などの用途として簡易に、しかも低コストで設置できる。
また、本考案の水素発生器によって発生させた水素ガスを溶解した水は、種々の用途に用いることができる。例えば、農業用水、洗浄用水などの還元水として用いることができ産業上の利用可能性が高い。
【符号の説明】
【００２１】
１０  水素発生器
１１  正面板
１２  裏面板
１３  右側面
１４  左側面
１５  容器本体
１６  水素発生体（マグネシウム板）
２１  縦溝
３１  突起
【図１】
0003209641.tif 000003
【図２】
0003209641.tif 000004
【図３】
0003209641.tif 000005
【図４】
0003209641.tif 000006
【図５】
0003209641.tif 000007